(57)【要約】オーディオ及び／又はビデオを蓄積し且つ再生する装置は、異なる形式でオーディオ及び／又はビデオを蓄積する半導体メモリと、ディジタルオーディオ及び／又はビデオデータを再生装置に適するアナログ信号に変換する変換ユニットを有する。変換ユニットから出されるアナログの有益な信号のみが、出力ラインに現れるのが好ましい。これにより、ユーザはオリジナルディジタルデータにアクセスできず、これはディジタルオーディオ及び／又はビデオデータの許可されていないコピーを排除する。半導体メモリに接続された処理論理は、購入されたときに特徴と品質に関して、媒体が、顧客の考えに調整されることを許すために、異なる方法で構成可能なことが好ましい。
2004514936.tif 000002
【特許請求の範囲】
【請求項１】
ディジタル形式でオーディオ及び／又はビデオを蓄積する半導体メモリを有する、オーディオ及び／又はビデオを蓄積し且つ再生する装置であって、ディジタルオーディオ及び／又はビデオデータを、再生装置に適する信号に変換する変換ユニットを有し且つ、有益な信号が利用可能となされる装置の出力ラインは、変換ユニットに接続されていることを特徴とする装置。
【請求項２】
変換ユニットは、圧縮された及び／又は符号化されたデータを復号する復号器を含むことを特徴とする、請求項１に記載の装置。
【請求項３】
変換ユニットは、ディジタルオーディオ及び／又はビデオでーをアナログ信号に変換するディジタル／アナログ変換器を含むことを特徴とする、請求項１或は２に記載の装置。
【請求項４】
マイクロチップ内に集積されていることを特徴とする、請求項１乃至３のうち何れか一項に記載の装置。
【請求項５】
チップカードの形式であることを特徴とする請求項４に記載の装置。
【請求項６】
半導体メモリは読み出し専用メモリであることを特徴とする、請求項１乃至５のうち何れか一項に記載の装置。
【請求項７】
変換ユニットは、認可制御に従って及び／又は不可逆に、配置可能であることを特徴とする、請求項１乃至６のうち何れか一項に記載の装置。
【発明の詳細な説明】
【０００１】
本発明は、ディジタル形式でデータを蓄積する半導体メモリを含む、オーディオ及び／又はビデオデータを蓄積し且つ再生する装置に関連する。
【０００２】
オーディオ及びビデオデータは、品質の達成できる優位点を考慮して、ディジタル形式で、蓄積され且つ処理されることが増加している。典型的には、オーディオ及びビデオデータは、そして、ＣＤ、ＤＶＤ又は、ビデオカセットのような光学的又は磁気的蓄積媒体に蓄積される。データは取り出されそして、蓄積媒体を、例えば、ＣＤプレーヤのような適する再生装置にローディングすることにより、音響的に又は光学的に再生されうる。
【０００３】
ディジタル的に符号化されたオーディオ及びビデオデータの更なる技術的な優位点は、品質の損失なく簡単にコピーされることができることである。経済的には、このコピーの容易さは、著作権の侵害である許可されていないコピーをすることを可能とするので、実質的な問題を起こす。
【０００４】
この理由のため、許可されていないコピーに対して、ディジタル情報を保護する方法が開発された。ＷＯ９７／０４４１２は、公に配布されるソフトウェアを保護する方法を開示し、その方法に従って、ロード可能なプログラムは、２つの部分に分けられる。１つの部分は、ハードウェアキーを付けて蓄積され、そして、プログラムが実行されるときには毎回揮発性メモリ（ＲＡＭ）に再ロードされねばならない。従って、プログラムは、ハードウェアキーへのアクセスが可能なときにのみ使用されることができる。ロード可能なプログラムに対して最初は意図されたこの方法は、ハードウェアキーを付けて蓄積されているソフトウェア部分がユーザで、恒久メモリにコピーされるときに、回避されうる。
【０００５】
ＣＤ又はミニディスクを保護する方法は、ＷＯ９９／４５５３９に記載されている。ＣＤ又はミニディスクには、再生装置により媒体が初めて再生されるときに、明白に再生装置を識別するコードが、記録される、記録可能領域が設けられる。これにより、将来、その個々の再生装置によってのみ、媒体が再生されることが、達成される。この欠点は、一方では、蓄積媒体のそして蓄積媒体の特別な適応を要求する高い技術的な複雑と、そして、他方では、単一の再生装置内の再生に対する蓄積媒体の適法な使用の過度な制限である。
【０００６】
ＷＯ９７／２５６７５は、コンピュータソフトウェアが、保護された方法及び使用時間に従って課される料金で、ＣＰＵ上で実行されることを許す方法と装置を開示する。
【０００７】
更に、半導体メモリにオーディオ及び／又はビデオデータを蓄積し且つ、前記データを適する装置上で再生するために前記データを取り出す装置が知られている。オーディオについてのＭＰ３（ＭＰＥＧレイヤー３）及びビデオデータについてのＭＰＥＧ１，２及４のような圧縮規格の出現は、圧縮は大量のデータが簡単に扱えるサイズに減少されることを可能とするので、半導体メモリの使用が増加する結果となった。既知の再生装置では、オーディオ及び／又はビデオデータは、半導体メモリ内にディジタル的に蓄積され、それから、復号ユニット、ディジタル／アナログ変換器、増幅器等のような、適切な装置を介して、それぞれ、ラウドスピーカー、又は、ヘッドホン及びモニタにより再生されるために、ディジタル形式で取り出される。これらの装置の欠点は、ユーザがディジタル形式でオーディオ及び／又はビデオデータにアクセスでき、これは、前述の前記データの不法コピー及び配布の可能性を導くことである。更に、再生装置は、符号化に関する所定の技術的標準に従わなければならず、その結果、各技術的な修正を適用されねばならず又は、そのような修正を利用できない。
【０００８】
この状況で、本発明は、ディジタル情報が常に技術的に最適なフォーマットで蓄積され、且つ不法コピーから高度に保護される、ディジタルオーディオ及び／又はビデオデータを蓄積し且つ再生する装置を提供することである。
【０００９】
この目的は、請求項１に記載の装置により達成される。優位な実施例は従属請求項に記載されている。
【００１０】
オーディオ及び／又はビデオデータを蓄積し且つ再生する装置は、従って、ディジタル形式でオーディオ及び／又はビデオデータを蓄積する半導体メモリを有する。ディジタルオーディオ及び／又はビデオデータを、再生装置に適する信号に変換する変換ユニットと、有益な信号が利用可能となされる装置の出力ラインは変換ユニットから出ることを特徴とする。
【００１１】
このように、本発明は、オーディオ及び／又はビデオデータのディジタル化の優位点を、即ち、半導体メモリ内の前記データの特にコスト効率の良い且つ高品質ディジタル蓄積を、使用する。蓄積は、装置の製造中に又は、外部ディジタル書きこみアクセスを介して続いて行われることが可能である。しかしながら、既知の装置と対照区別して、この装置は、アクセス可能な有益な信号が外部から取り出せる装置の出力ラインが、既にディジタルデータが変換された変換ユニットから出るので、ユーザが、オリジナルディジタルデータ形式のデータにアクセスすることをを許さない。このように、装置内では、本発明に従って、半導体メモリからのデータの取り出しに際して直接的に、ラウドスピーカー又は、モニタによるオーディオ及び／又はビデオ情報の再生に必要な、ディジタルデータの処理の一部が、行われる。
【００１２】
装置の変換ユニットは、異なるタスクを実行する論理手段を有する復号器を含む。このタスクは、特に、ディジタルオーディオ及び／又はビデオデータの、符号化と復号及び／又は圧縮と逆圧縮を含む。更なる処理ステップは、増幅器及び／又は電源である。ディジタルオーディオ及び／又はビデオデータを蓄積する半導体メモリの使用は、前記データの取り出しとそれらの処理は、純粋に電子的な手段で実行される、という優位点を有する。従って、ＣＤプレーヤ又はカセット装置とは対照的に、装置の衝撃抵抗を制限し且つ、高い電力消費を導く、可動機械部分を有しない。蓄積されたデータと論理処理手段の結合は、再生装置については単に有益な信号のフォーマットが同じに維持されるので、装置の製造中には常に、最新の処理及び蓄積技術が使用される、という更なる優位点を有する。内部的には、蓄積媒体は、従って、ユーザがこの技術の更新のために新たな再生装置を購入しなければならないことなしに、常に最新の符号化／復号及び圧縮／逆圧縮技術が提供される。
【００１３】
本発明に従った装置の変換ユニットは、さらに、ディジタルオーディオ及び／又はビデオ信号を、アナログ信号に変換する、ディジタル／アナログ変換器を含んでもよい。装置により利用可能とされたアナログ信号は、例えば、オーディオについてのライン出力信号又はビデオについてのＲＧＢ信号であり、これは、更に適切な再生ユニットにより処理され、そして、例えば、中間増幅後にラウドスピーカーにより再生されることが可能である。本発明に従った装置内では必要なデータ処理の一部はデータについての蓄積媒体内に蓄積されているので、通常のユーザは、ディジタル形式でもはやデータにアクセスできない。これは、品質の損失なしのデータの簡単なコピーを除外し、この結果、オーディオ及び／又はビデオデータの許可されていないコピーは、実質的に不可能となる。
【００１４】
装置は、単一のマイクロチップに集積されるのが好ましい。これは、このマイクロチップは、一方では、オーディオ及び／又はビデオデータの蓄積のための半導体メモリセルを集積し、他方では、再生に適する（アナログ）信号を得るために、データを処理するのに必要な論理手段を集積することを意味する。単一チップ内でのこのような高度な集積は、データは装置自身の技術的な操作を通してディジタル形式でアクセスできないことを保証する。そのような操作はマイクロチップの破壊を必然的に導くためである。
【００１５】
装置は、チップカード、即ち、慣習的なクレジットカードサイズを有するプラスチックカードに搭載されたマイクロチップ、の形式を取るのが好ましい。オーディオ及び／又はビデオデータについての知的蓄積媒体として機能する、装置のそのような実施例は、幾つかの優位点を有する。一方では、装置はこのように、ある一定の最小サイズを有し、この結果、扱うのが容易で且つ、ＣＤ又はディスクレコードのような有形な製品は、顧客に入手できるようになされている。更に、そのような装置は、柔軟性があり、そして、従って、例えば、衣類に集積できる。最後に、例えば、テストデータ、旅行情報等の短期間に使用するオーディオ及び／又はビデオデータについて特に興味のある、プラスチックチップカードを処分する信頼性ある方法がある。
【００１６】
装置内で使用される半導体メモリは、メモリ内容の操作と不法に得られたデータの蓄積のための装置の使用が除外されることを保証するために、読み出し専用メモリ（ＲＯＭ）であることが好ましい。
【００１７】
さらに、装置の変換ユニットは、予め定められた形式に構成され、構成は、認可制御に従って及び／又は不可逆な形式でのみ行われる。これは、変換ユニットの構成は、所定のアクセスキーの所有（許可制御）を要求し及び／又は、一旦、構成が起こるとキャンセルできない。変換ユニットのそのような構成可能性の結果、顧客が技術的に異なる且つ異なる価格の構成の装置の購入が可能であり、関連する構成は、購入に関する許可された販売者により決定されることを意味する。例えば、特徴と品質についての顧客の考えについて調整するために、変換ユニット内のある一定の部分の回路が、動作不能にされる、構成が行われる。
【００１８】
本発明に従った装置は、例えば、ＭＰ３（ＭＰＥＧレイヤー３）フォーマットのオーディオデータの蓄積に使用できる。これらのデータはチップ上の半導体メモリ内にディジタル形式で蓄積される。同じチップが、更に、データをディジタルオーディオデータに変換する、ＭＰ３復号器を含んでもよい。チップは、出力に有益なアナログ信号が現れる、Ｄ／Ａ変換器も含んでもよい。これらの信号は、増幅器と再生ユニットを介して再生されることができる。更に、増幅器と制限されたエネルギー蓄積手段は、装置内に集積され、それにより、ヘッドフォン等のみが装置を使用するために必要とされる。
【００１９】
このように、本発明に従った装置内で、好ましくはアナログの有益な信号が装置の出力で有効となるように、ディジタルオーディオ及び／又はビデオデータのための半導体メモリが、前記データを処理する論理手段の一部と結合される。この結果、ディジタル品質を有するオーディオ及び／又はビデオデータのコピーが排除される。
【００２０】
以下に、本発明を図面を参照して例により更に詳細に説明する。
【００２１】
図１は、オーディオ及び／又はビデオデータの再生のためのシステムの構成要素を示す。一方では、このシステムは、データの蓄積と供給のために交換可能な媒体１よりなり、この媒体は、符号化されたディジタル形式でオーディオ及び／又はビデオデータを蓄積する半導体メモリ３を含む。符号化は、例えば、オーディオデータに対して、ＭＰ３圧縮のアプリケーションよりなる。
【００２２】
一方では、システムは、半導体メモリ３から取り出されるデータを復号する復号器４、ディジタルデータを有益なアナログデータに変換する、ディジタル／アナログ変換器５と、増幅器６及びラウドスピーカ７を有する再生装置２を有する。
【００２３】
既知の装置内で、交換可能な媒体１は、（符号化された）オーディオ及び／又はビデオデータのみを蓄積するので、媒体内のデータと再生装置２内の復号器４の間で互換性がない場合がある。これは、例えば、データが、復号器４には知られていない、更に最近の、技術的に進んだフォーマットで蓄積されているときである。
【００２４】
逆に、システム内で、図２に示された発明に従って、交換可能な媒体１’と再生装置２’の間の構成要素の他の分割があり、復号器４は媒体１’の一部である。従って、データと復号器は１つのユニットを構成し、この結果、製造者は常に、相互に互換性のある組合せと共に媒体１’を提供できる。従って、媒体１’は、常に、最新の蓄積及び圧縮技術が提供され、この理由により、他の再生装置２’は必要ない。
【００２５】
図３に示されたシステムでは、媒体１”に対する構成要素の更なる再配置が行われ、ディジタル／アナログ変換器５も、媒体１”内に収容されている。この結果、アナログ信号のみが媒体１”から外部に有効であり、これは、ディジタルコピーを作ることに対して完全な保護を提供する。同時に、図２に示す構成の優位点、即ち、媒体１”内で最新の符号化及び復号技術を使用する可能性が得られる。
【００２６】
図２と３に示された実施例は、とりわけ、拡張され、媒体１’又は、１”は、単一方向のディジタル入力が供給される。これは、符号化された形式のディジタルデータが、半導体メモリ３内に蓄積されることを可能とし、その結果記録可能な媒体が得られる。しかしながら、データの再生は復号器４を介してのみ、即ち、復号された形式で可能であり、これは、半導体メモリ３の内容の更なるコピーを排除する。
【００２７】
更に、復号器４は、例えば、”再生”、”停止”、”ポーズ”、”次項目”等の、ユーザから及び／又はシステムからのコマンドを処理するように適用されるのが好ましい。これを可能とするために、媒体１’又は１”と、再生装置２’又は２”の間の、通信プロトコルが必要とされ、これは、最も単純な場合には単一方向である。状態情報が、媒体から再生装置に転送されることを許す、双方向プロトコルが設けられるのが適当である。
１，１’，１”　蓄積媒体、
２，２’，２”　再生装置、
３　半導体メモリ、
４　復号器、
５　ディジタル／アナログ変換器、
６　増幅器、
７　ラウドスピーカ。
【図面の簡単な説明】
【図１】
従来技術に従った、オーディオ及び／又はビデオデータを蓄積し且つ再生する装置の構成を示す図である。
【図２】
復号器が集積されている本発明の第１の実施例を示す図である。
【図３】
更にディジタル／アナログ変換器が集積されている本発明の第２の実施例を示す図である。
【国際公開パンフレット】
2004514936.tif 000003
2004514936.tif 000004
2004514936.tif 000005
2004514936.tif 000006
2004514936.tif 000007
2004514936.tif 000008
2004514936.tif 000009
2004514936.tif 000010
2004514936.tif 000011
【国際公開パンフレット（コレクトバージョン）】
2004514936.tif 000012
【国際調査報告】
2004514936.tif 000013
2004514936.tif 000014
2004514936.tif 000015